(57)【要約】【課題】            コネクタは、ハウジングと、ハウジング内に配されたコンタクト、コンタクトの接点部を接続対象物（ＦＰＣやＦＦＣ）の接点に接触させるアクチュエータとを有する。アクチュエータの回動域をハウジングの前方に確保していることから、ハウジングの奥行き寸法が大きく、引き回しに弱くかつコネクタの小型化を不可能にしている。【解決手段】        アクチュエータ（３）の回動中心（２３）を、第１コンタクト（１３）の接点部（１１）、即ち奥側の接点部（１１）の上方に位置させ、アクチュエータ（３）をハウジング（２）の前方に納める。アクチュエータ（３）の回動中心（２３）の位置を工夫することでハウジング（２）の奥行き寸法を短縮可能とさせかつ引き回しに強いコネクタとさせる。【選択図】          図１
2006196356.tif 000002
【特許請求の範囲】
【請求項１】
接続対象物の挿入口を有するハウジングと、ハウジング内に挿入されかつ接点部を有する第１と第２コンタクトと、ハウジングに回動自在に枢支されかつカム部を有するアクチュエータとを有し、アクチュエータの閉時アクチュエータのカム部が接続対象物を押圧しかつ第２コンタクトの上側アームを押圧し、両押圧点がアクチュエータの回動中心の下又はその奥側に位置することを特徴とするコネクタ。
【請求項２】
第１コンタクトの下側アームの接点がアクチュエータの回動中心の下に位置しかつ第２コンタクトの上側アームの先端部が接続対象物に当接する請求項１記載のコネクタ。
【請求項３】
アクチュエータが、第１コンタクトの上側アームの先端部を受ける孔と第２コンタクトの上側アームを受ける溝とを有する請求項２記載のコネクタ。
【請求項４】
ハウジングの前方に開口部を有し、アクチュエータ閉時アクチュエータが開口部を閉じる請求項２又は３記載のコネクタ。
【発明の詳細な説明】
【技術分野】
【０００１】
本発明は、フレキシブルプリント基板（ＦＰＣ）やフレキシブルフラットケーブル（ＦＦＣ）等の接続対象物用コネクタに関する。
【背景技術】
【０００２】
パーソナルコンピューターやテレビジョン受像器、ゲーム機器、携帯電話等の急速な普及に伴い、プリント配線板等にコネクタを半田付けし、このコネクタにフレキシブルプリント基板（ＦＰＣ）やフレキシブルフラットケーブル（ＦＦＣ）等の接続対象物を挿入し、コネクタ内の各コンタクトをＦＰＣやＦＦＣ等の接続対象物の各接点部に電気的に導通状態となるよう圧接させている。
各種の電子機器の電気回路にはこの種のコネクタは欠かせない。即ち、電気回路や多数の電子部品との電気的接続にはコネクタは必須部品となっている。
【０００３】
この種のコネクタは合成樹脂製のハウジング内に導電材からなるコンタクトを複数個並設して配した構成を有し、ハウジング内にＦＰＣ又はＦＦＣ等の接続対象物を挿入した後、ハウジングに回動自在に支持されたアクチュエータを動作させ、各コンタクトの接触子即ち接点部を接続対象物の対応ケーブルに夫々圧接させて電気的導通関係を得ている。
【０００４】
【特許文献１】特許第３５１３７５１号明細書
【特許文献２】特開２００３−３３１９５９号公報
【発明の開示】
【発明が解決しようとする課題】
【０００５】
前述した従来コネクタは、アクチュエータの回動中心をハウジングの前方に位置させていることから、コネクタの奥行き寸法が長く、ハウジングが回路基板に対し大型化する欠点がある。
さらに、アクチュエータの回動中心が第１コンタクトの接点と第２コンタクトの接点との間にあり、アクチュエータに作用する反力が接続対象物の引き回しによりアクチュエータを開きやすくなる不具合が生じる。
それ故に、本発明は前述した従来のコネクタの不具合を解消させることを解決すべき課題とする。
【課題を解決するための手段】
【０００６】
本発明は、前述した課題を解決するために、基本的には、ハウジング内の両コンタクトへのカム部の押圧点をアクチュエータの回動中心の下方に位置させる技術手段を用いる。
この技術手段の採用は、アクチュエータの回動中心をハウジングの中央側に位置させているのでハウジングの奥行き寸法を短くさせかつ引き回しによるアクチュエータの開を防止させ得る。
【０００７】
奥の接点部への接触力はアクチュエータのカム部を接続対象物に押圧させることで確保し、手前の接点部への接触力はアクチュエータのカム部をコンタクトの上側アームに押圧させることで、ハウジングの奥行き寸法を短縮させることができる。
【０００８】
本発明によれば、接続対象物の挿入口を有するハウジングと、ハウジング内に挿入されかつ接点部を有する第１と第２コンタクトと、ハウジングに回動自在に枢支されかつカム部を有するアクチュエータとを有し、アクチュエータの閉時アクチュエータのカム部が接続対象物を押圧しかつ第２コンタクトの上側アームを押圧し、両押圧点がアクチュエータの回動中心の下又はその奥側に位置することを特徴とするコネクタが提供される。
【０００９】
好ましくは、第１コンタクトの下側アームの接点がアクチュエータの回動中心の下に位置しかつ第２コンタクトの上側アームの先端部が接続対象物に当接する。アクチュエータが、第１コンタクトの上側アームの先端部を受ける孔と第２コンタクトの上側アームを受ける溝とを有する。
【００１０】
さらに好ましくは、ハウジングの前方に開口部を有し、アクチュエータ閉時アクチュエータが開口部を閉じる。
【発明の効果】
【００１１】
本発明によれば、コネクタの奥行き寸法を短縮させ、コネクタの小型化を可能にする。さらに、アクチュエータ閉時アクチュエータがハウジングの開口部を閉じ、ハウジングからの突出物やハウジング内に異物の進入を許す開口がなく、コネクタを小型化させ得る。
さらに、アクチュエータのカム部の接続対象物と第２コンタクトの上側アームとの押圧点をアクチュエータの回動中心の下方又はやや奥気味とさせているので、接続対象物の引き回しによるアクチュエータの開を阻止できる。
【発明を実施するための最良の形態】
【００１２】
コネクタ１は、絶縁性のハウジング２と、ハウジング２に回動自在に枢支されたアクチュエータ３を有す。ハウジング２は、前後に開放された筒形をなし、その頂壁の前方部に開口部４が形成されている。
アクチュエータ３はハウジング２の側壁に枢支され、図１に示す開位置と図２に示す閉位置との間を回動自在である。
【００１３】
ハウジング２内に、図１と図２に示す如く、導電材の第１コンタクト１３がハウジング２の前方開口より挿入される。第１コンタクト１３は、ハウジング２の底壁に沿う基部５と、基部５の上向き部から前方へ延出する下側アーム６と、下側アーム６とは離間して前方へ延出する上側アーム７とを有す。基部５はその一部がハウジング２に係止されかつ基部５と一体の基板１２の前方に半田付け部８を有す。
上側アーム７の先端部はアクチュエータ３の貫通孔９に挿入され、アクチュエータ３のカム部１０の円弧面が上側アーム７の下側面に接する。
下側アーム６の先端に接点部１１を有し、接点部１１をハウジング２のほぼ中央に位置しかつアクチュエータ３の回動中心２３のほぼ真下に位置する。
【００１４】
ハウジング２の後方開口よりハウジング２内に挿入される導電材の第２コンタクト１４は、基部１５より前方へ延在する下側アーム１６と、下側アーム１６とは離間しかつＵ字部２６を介して前方に延在する上側アーム１７を有す。１８は半田付け部を示す。第２コンタクト１４の下側アーム１６は、第１コンタクト１３の下側アーム６より長く、その先端の接点部１９は、隣り合う接点部１１より挿入側に位置する。両接点部１１，１９は千鳥状をなす。カム部１０は上側アーム１７のほぼ中央に当接する。
【００１５】
アクチュエータ３の回動中心２３は、奥側の接点部１１の周辺（奥側を含む）の上方、或いは両接点部１１，１９間の上方に位置させる。アクチュエータ３はその下壁面に長手方向に沿う溝２０を有し、溝２０は上側アーム１７を納め得る寸法を有す。
両コンタクト１３，１４は隣り合う形で複数個並設させられる。
【００１６】
ハウジング２の前方の挿入口２１より、接続対象物２２をハウジング２内に挿入する。接続対象物２２の下面の接点に接点部１１，１９が接触し、カム部１０と上側アーム１７とが接続対象物２２の上面に対向する。
図２と図４に示すように、アクチュエータ３を前方へ押し倒し、閉位置とさせる。カム部１０が接続対象物２２を押し下げ両接点部１１，１９への接触圧を高める。さらに、カム部１０は上側アーム１７を押し下げ、接続対象物２２を両接点部１１，１９へ圧接させる。
図２に示すように、アクチュエータ３の閉時カム部１０が接続対象物２２を押圧し、接続対象物２２が接点部１１を押し下げ、電気的接触圧を確保する。押圧点２４は、アクチュエータ３の回動中心２３のやや奥側に位置しかつ接点部１１が回動中心のほぼ真下に位置する。
【００１７】
図４に示すように、アクチュエータ３の閉時カム部１０が上側アーム１７を押圧するが、押圧点２５は回動中心２３のほぼ真下にあり、上側アーム１７の先端の接続対象物２２への当接部２７は、押圧点２５より相当前方に位置する。アクチュエータ３の回動中心２３をハウジング２の中央部近くに位置させているので、当接部２７を挿入口２１に限りなく近付けて配置でき、接続対象物２２の引き回しに対し、上側アーム１７が効率よく抵抗し、引き回しによるアクチュエータ３の開を阻止する。
【００１８】
アクチュエータ３の回動中心が奥側の接点部１１の上方又は両接点部１１，１９間であって接点部１１側の上方に位置するので、カム部１０の押し下げ力は両接点部１１，１９に効率よく作用する。又、第１コンタクト１３の上側アーム７はハウジング２の頂壁内面に接しているので、上側アーム７の下面に接するカム部１０の押し下げ力は上方に逃げることなく下方へ確実に向けられる。
第２コンタクト１４の上側アーム１７の根元の基部１５への結合部は、上側アーム１７の弾性変形を確保するためＵ字部２６としてある。このため、上側アーム１７が接続対象物を下向きに押すことができる。
下側アーム６，１６は、ハウジング２の底壁の内面と離間し、接続対象物の押し下げに対し反発し、両アーム１６，１７間に接続対象物２２を挟持する。
【００１９】
図５と図６に示す例は、図１と図２に示す第１コンタクト１３の変形例の第１コンタクト１３’を有す。第１コンタクト１３’は中間アーム２８を有し、中間アーム２８は上側アーム７と下側アーム６との間であって、両アーム６，７に沿って基部５より前方へ延出し、その先端部に当接部２９を有す。
当接部２９は接点部１１の上方に位置し、回動中心２３のほぼ真下に位置する。中間アーム２８以外の構成は図１と図２に示す例と同じであり、同一部品に同一符号を記し、その説明を省略する。
【００２０】
アクチュエータ３を閉状態とさせると、図６に示すように、カム部１０が中間アーム２８の押圧点３０を押圧し、当接部２９が接続対象物を押し下げ、第２コンタクト１４の上側アーム１７と同じ働きをする。
接続対象物２２の引き回し時、当接部２９が第２コンタクト１４の当接部２７と同じ働きをし、引き回しに効率よく抵抗する。
【００２１】
図５と図６に示す中間アーム２８の当接部２９及び第２コンタクト１４の当接部２７を電気的接点部としても用い、接続対象物２２の両面より電気信号を得ても良い。
【００２２】
本発明では、アクチュエータ３の回動中心を奥側の接点部１１の周辺上方としていることから、ハウジング２の奥行き寸法を従来のものより小とさせ、コネクタ１を小型化させ得る。さらに、前方開口部４をアクチュエータ３が塞ぐので、使用中は突出物や不用な開口のない長方形の箱形となり、取付スペースを小さくできる。さらに、引き回しに対してアクチュエータ３を開とさせることはない。
【図面の簡単な説明】
【００２３】
【図１】アクチュエータ開時の第１コンタクト部のコネクタの断面図である。
【図２】アクチュエータ閉時の第１コンタクト部のコネクタの断面図である。
【図３】アクチュエータ開時の第２コンタクト部のコネクタの断面図である。
【図４】アクチュエータ閉時の第２コンタクト部のコネクタの断面図である。
【図５】中間アームを有する第１コンタクトの変形例を示す断面図である。
【図６】図５の例でアクチュエータを閉とした状態を示す断面図である。
【符号の説明】
【００２４】
１    コネクタ
２    ハウジング
３    アクチュエータ
４    開口部
５    基部
６，１６    下側アーム
７，１７    上側アーム
９    貫通孔
１０    カム部
１１，１９    接点部
１２  基板
１３，１３’    第１コンタクト
１４    第２コンタクト
１５    基部
２０    溝
２１    挿入口
２２    接続対象物
２３    回動中心
２４，２５    押圧点
２７，３０    当接部
２８    中間アーム
【図１】
2006196356.tif 000003
【図２】
2006196356.tif 000004
【図３】
2006196356.tif 000005
【図４】
2006196356.tif 000006
【図５】
2006196356.tif 000007
【図６】
2006196356.tif 000008